(57)【要約】【課題】  天井に付着する水滴を強制的に除去可能にし、この種の水滴によって快適な入浴感を害したり、天井に水垢が付いたり、また浴室の乾燥が遅延することがないようにする。【解決手段】  浴室の天井１に設け、ミストを送風機２で浴室内に供給する浴室天井取付用のミストサウナ装置である。上記の送風機２から送られるエアーを、天井１に向けて流すためのエアー吹き出し口３を備えて形成する。この場合本発明は、エアー吹き出し口３を、浴室内に臨むフロントグリル部８の側面に開口するのが良い。【選択図】      図１
2006296922.tif 000002
【特許請求の範囲】
【請求項１】
浴室の天井に設けられ、ミストを送風機で浴室内に供給する浴室天井取付用のミストサウナ装置であって、上記の送風機から送られるエアーを天井に向けて流すためのエアー吹き出し口を備えて形成されていることを特徴とする浴室天井取付用のミストサウナ装置。
【請求項２】
請求項１記載の浴室天井取付用のミストサウナ装置であって、エアー吹き出し口が、浴室内に臨まれるフロントグリル部の側面に開口されていることを特徴とする浴室天井取付用のミストサウナ装置。
【請求項３】
請求項２記載の浴室天井取付用のミストサウナ装置であって、エアー吹き出し口が、横長のスリット状に形成されていることを特徴とする浴室天井取付用のミストサウナ装置。
【請求項４】
請求項２又は３記載の浴室天井取付用のミストサウナ装置であって、フロントグリル部の側縁に、エアー吹き出し口から吹き出るエアーを天井に導くためのガイド片が設けられていることを特徴とする浴室天井取付用のミストサウナ装置。
【請求項５】
請求項１乃至４の何れかに記載の浴室天井取付用のミストサウナ装置であって、ミストの噴出運転が終了すると、エアー吹き出し口から予め設定しておく設定時間だけエアーを吹き出させる制御部を備えて形成されていることを特徴とする浴室天井取付用のミストサウナ装置。
【発明の詳細な説明】
【技術分野】
【０００１】
本発明はミストサウナ装置に関し、更に詳しくは浴室の天井に設置し、浴室内をミストで予備暖房したり、サウナ化できるよう形成した浴室天井取付用のミストサウナ装置に関するものである。
【背景技術】
【０００２】
従来この種の装置としては、例えばミスト噴出部と通風手段とを備え、グリル板に吸気口と吹き出し口とを並べて設け、浴室内の空気を循環させたり、ミストで浴室内を予備暖房したり、サウナ化できるよう形成しているものがある（例えば特許文献１、同２参照）。
【０００３】
ところでこの種の装置は、浴室内にミスト（霧状の水滴）を噴出するため、使用後、天井面に水滴が付着するのを避けられない。従ってこの種の水滴が、ミストの噴出運転の終了後等に落下すると、入浴者にかかってひやりとさせたり、後から入浴する人に不快感を与えたり、また水垢の原因となったり、更には浴室内の乾燥を遅らせる原因にもなる。それ故この種の装置は、天井に付着する水滴の、この種の問題を解消できるよう形成されているのが望ましい。
しかるに従来品は、浴室内の空気循環機能や換気機能を備えるのに止まり、天井に付着する水滴を強制的に除去する機能を有していなかった。従って従来品によると、ミストサウナ機能を使用中は快適である反面、使用後に、この種の水滴が入浴者に不快感を与え、快適性を損なわせることが多かった。
【特許文献１】特開２００２−３３６１５５号公報
【特許文献２】特開平１１−３４２１７６号公報
【発明の開示】
【発明が解決しようとする課題】
【０００４】
本発明は、このような従来技術の問題点に鑑み、提案されたものである。
従って本発明の解決しようとする技術的課題は、天井に付着する水滴を強制的に除去可能にし、この種の水滴によって快適な入浴感を害したり、天井に水垢を付けたり、また浴室の乾燥が遅延することがないよう形成した浴室天井取付用のミストサウナ装置を提供することにある。
【課題を解決するための手段】
【０００５】
本発明は、上記の課題を解決するため、次のような技術的手段を採る。
即ち本発明は、図１等に示されるように、浴室の天井１に設けられ、ミストを送風機２で浴室内に供給する浴室天井取付用のミストサウナ装置であって、上記の送風機２から送られるエアーを天井１に向けて流すためのエアー吹き出し口３を備えて形成されていることを特徴とする（請求項１）。
【０００６】
この場合本発明は、エアー吹き出し口３が天井１に向かって湾曲状に形成されたり、天井１に向けて湾曲する導風管部材を備えて形成されているのでも良いが、浴室内に臨まれるフロントグリル部８の側面に開口されているのが好ましい（請求項２）。
なぜならこれによると、エアー吹き出し口３の構造を簡素化でき、部品コスト、製造コストを低廉化できるからである。
【０００７】
またこの場合本発明は、エアー吹き出し口３が横長のスリット状に形成されているのが好ましい（請求項３）。
なぜならこれによると、エアーを天井１に沿わせて展開させ易くなり、広い範囲にわたって同時に効率良く水滴を除去できるからである。エアー吹き出し口３は、具体的にはフロントグリル部８の側面に、連続状に、或いは断続状に形成されることにより実現される。この場合フロントグリル部８は、例えば四角形状に形成され、エアー吹き出し口３は、天井１の四方に、同時に、且つ広範囲にエアーを吹き出し可能になるよう、このフロントグリル部８の四側面に、その横方向の全長にわたって形成されているのが好ましい。
【０００８】
また請求項２又は３記載の本発明は、フロントグリル部８の側縁に、エアー吹き出し口３から吹き出るエアーを天井１に導くためのガイド片１２が設けられているのが好ましい（請求項４）。
なぜならこれによると、エアー吹き出し口３から吹き出るエアーを、ガイド片１２によって天井１に確実に導いて流すことができ、その分、水滴の除去率を上げることができるからである。この場合、ガイド片１２の取付角度や突出し寸法は、天井１の形状、例えば平面状やドーム形（湾曲形）等の形状に合わせて適宜選定される。
【０００９】
また請求項１乃至４の何れかに記載の本発明は、ミストの噴出運転が終了すると、エアー吹き出し口３から予め設定しておく設定時間だけエアーを吹き出させる制御部（図示せず）を備えて形成されているのが好ましい（請求項５）。
なぜならこれによると、天井１の水滴を自動的に除去でき、ミストサウナの使用後に入浴する者が水滴除去用の運転スイッチ５ａを押す煩わしさを解消できるからである。ここで、ミストの噴出運転の終了とは、具体的には、ミストの噴出の設定時間が経過したとき、或いはミストの噴出停止スイッチ５ｃを入れたときを意味する。制御部は、例えばマイコンやシーケンサで構成される。
【発明の効果】
【００１０】
本発明の装置は、このように送風機から送られるエアーを天井に向けて流すためのエアー吹き出し口を備えて形成されている。
従って本発明は、天井に付着する水滴を、強制的に、且つ迅速、確実に除去できる。それ故これによると、この種の水滴が落下して入浴者がひやりとしたり、不快に感じることを一掃でき、また天井の結露を減少でき、水垢の付着を防止でき、浴室の乾燥時間を短縮化できる。
【発明を実施するための最良の形態】
【００１１】
以下、本発明を実施するための最良の形態を説明する。
本発明品は、図１等に示されるように、浴室の天井１に設けられ、ミストを送風機２で浴室内に供給する浴室天井取付用のミストサウナ装置である。本発明の装置は、送風機２から送られるエアーを天井１に向けて流すためのエアー吹き出し口３を備えて形成されている。また温水ミスト発生用のヒータ４や、リモコン５からの制御信号を受けて送風機２や可動式のルーバー６等に駆動信号を出力するコントローラ７等を備えて形成されている。
【００１２】
上記のエアー吹き出し口３は、浴室内に臨まれるフロントグリル部８の側面に開口されている。フロントグリル部８は、この実施形態では略正方形に形成され（図２参照）、四側面に、エアー吹き出し口３が横方向の全長にわたって、所定の間隔で配置された複数の縦片によって、横長のスリット状に形成されている。このエアー吹き出し口３から吹き出るエアーの風圧は、水滴を吹き飛ばして除去可能な圧力である。この圧力は、天井１の形状や、天井１における本発明品の取付位置等に鑑み、送風機２の羽根の回転数等を制御することで適宜選定される。
【００１３】
９は、浴室内にミストを噴出する噴出ノズルである。この噴出ノズル９は、フロントグリル部８の下面の適宜位置に複数設けられている。また１０は、可動式のルーバー６を備えた吹き出し口である。この吹き出し口１０は、フロントグリル部８の略中央位置に横長状に形成され、吹き出し口１０を除いたフロントグリル部８の全面はエアーの吸い込み口１１に形成されている。入浴者が、本発明装置を例えば換気乾燥機として使用する場合は、吸い込み口１１から浴室内のエアーが排気され、ルーバー６が開いて吹き出し口１０から浴室内に給気されるものである。
【００１４】
また上記のリモコン５（図１参照）は、例えば浴槽周りの浴室壁面等に取り付けられ、水滴除去用の運転スイッチ５ａ（エチケットスイッチという）、ミストの噴出スイッチ５ｂ及び噴出停止スイッチ５ｃ、ミストの噴出時間の設定スイッチ５ｄ等を備えて形成されている。なお天井１は、この実施形態ではドーム形に形成され、水滴の付着を軽減できるよう、また水滴の離散効果が高くなるよう、撥水処理が施されている。
【００１５】
次に本発明の装置の作用を説明する。
本発明の装置は、入浴者がミストの噴出スイッチ５ｂを入れると、噴出ノズル９からミストが浴室内に噴出し、浴室内をサウナ化する。そして図７に示されるように、入浴者が水滴除去用の運転スイッチ５ａ（エチケットスイッチ）を押すと、送風機２が始動し、エアー吹き出し口３からエアーが天井１に向かって吹き出る。この場合、送風機２が換気運転時は、ルーバー６が閉まり、エアーがエアー吹き出し口３に向かって流される。
【００１６】
而してエアー吹き出し口３から吹き出たエアーは、天井１に沿って流れながら、天井１に付着している水滴を吹き飛ばし、これにより水滴が強制的に除去される。そしてリモコン５の設定スイッチ５ｄを介して予め設定した時間が経過すると、送風機２の運転が停止する。これによりエアーの吹き出しが停止し、水滴の除去作業が終了する。
【００１７】
以上の処において、本発明の場合、上記のエアー吹き出し口３は、図４に示されるように、フロントグリル部８の側面に横方向にわたって等間隔に複数形成されているのでも良く、その横方向の長さや個数は任意である。また本発明は、図５、図６に示されるように、フロントグリル部８の側縁に、エアー吹き出し口３から吹き出るエアーを天井１に導くためのガイド片１２が設けられているのでも良い。このガイド片１２が設けられている場合は、エアーを確実に且つ効率良く、天井１に導くことができる。ガイド片１２は、この実施形態ではフロントグリル部８の側縁に、エアー吹き出し口３の横方向の全長にわたって、且つ天井１の段差部１ａに合わせて庇状に突き出されて形成されている。
【００１８】
また本発明は、水滴除去用の運転スイッチ５ａを手動で入れる場合に限定されるものではない。即ち本発明は、例えばミストの噴出運転が終了すると、エアー吹き出し口３から予め設定しておく設定時間だけエアーを吹き出させる制御部（図示せず）を備えて形成されているのでも良い。制御部は、例えばマイコンで構成される。この本発明の場合は、図８に示されるように、ミストの噴出スイッチ５ｂを押すと、ミストが噴出ノズル９から噴出する。そして予め設定しておく噴出時間が経過したり、或いはミストの噴出停止スイッチ５ｃを押してミストの噴出運転が終了すると、エアー吹き出し口３からエアーが設定時間だけ天井１に向かって吹き出て水滴を除去する。また設定時間が経過すると、送風機２の運転が停止し、エアーの吹き出しが停止する。
【図面の簡単な説明】
【００１９】
【図１】本発明のミストサウナ装置の好適な一実施形態を示す設置時の要部側面図である。
【図２】同上装置の設置時の浴室天井の要部底面図である。
【図３】同上装置の設置時の要部側面図である。
【図４】エアー吹き出し口の他の実施形態を示す同上装置の設置時の要部拡大側面図である。
【図５】ガイド片を設けた同上装置の設置時の要部側面図である。
【図６】図５の装置の要部拡大側面図である。
【図７】同上装置の作用を説明するためのフローチャートである。
【図８】同上装置の他の実施形態の作用を説明するためのフローチャートである。
【符号の説明】
【００２０】
１      天井
２      送風機
３      エアー吹き出し口
４      ヒータ
５      リモコン
６      ルーバー
７      コントローラ
８      フロントグリル部
９      噴出ノズル
１０    吹き出し口
１１    吸い込み口
１２    ガイド片
【図１】
2006296922.tif 000003
【図２】
2006296922.tif 000004
【図３】
2006296922.tif 000005
【図４】
2006296922.tif 000006
【図５】
2006296922.tif 000007
【図６】
2006296922.tif 000008
【図７】
2006296922.tif 000009
【図８】
2006296922.tif 000010